(57)【要約】【課題】多重巻きコイルを用いることなく、発光体をコンパクト化し、集光効率を向上させ、かつ点灯時に個々のコイル部間でアーク放電が起きるのを抑制する。【解決手段】照明装置１は、反射鏡３と、この反射鏡３内に組み込まれた定格電圧１００［Ｖ］以上のハロゲン電球５とを備えている。ハロゲン電球５は、内部にクリプトンガスからなる希ガスを含む封入ガスが封入されたバルブ６とこのバルブ６内に設けられた発光体１７とを有している。発光体１７は、並置された複数の一重巻きコイル部２１，２２，２３，２４を有し、かつ反射鏡３に対するその位置が反射鏡の焦点Ｆ1を含む位置にある。複数のコイル部２１，２２，２３，２４は、コイル部２１，２２，２３，２４をその長手方向から見たときの外形形状が略円形形状とは異なる形状となるように巻かれている。【選択図】図１
2008059893.tif 000002
【特許請求の範囲】
【請求項１】
照明装置の反射鏡内に組み込まれる定格電圧１００［Ｖ］以上の管球であって、前記管球は内部にクリプトンガスからなる希ガスを含む封入ガスが封入されたバルブとこのバルブ内に設けられた発光体とを有しており、
前記発光体は、並置された複数の一重巻きコイル部を有し、かつ前記管球が前記反射鏡内に組み込まれた状態において、前記反射鏡に対するその位置が前記反射鏡の焦点を含む位置であり、
前記複数のコイル部は、前記コイル部をその長手方向から見たときの外形形状が略円形形状とは異なる形状となるように巻かれていることを特徴とする管球。
【請求項２】
前記封入ガスは、前記クリプトンガスを主成分として、窒素ガスおよびハロゲン物質を含み、前記バルブ内のガス圧は、常温時において、２［ａｔｍ］〜１０［ａｔｍ］の範囲内にあることを特徴とする請求項１記載の管球。
【請求項３】
前記封入ガスにおける前記窒素ガスの組成比率は８［％］〜４０［％］の範囲内にあることを特徴とする請求項２記載の管球。
【請求項４】
凹面状の反射鏡と、この反射鏡内に配置され、かつ内部にクリプトンガスからなる希ガスを含む封入ガスが封入されたバルブとこのバルブ内に設けられた発光体とを有している定格電圧１００［Ｖ］以上の管球とを備え、
前記発光体は、並置された複数の一重巻きコイル部を有し、かつ前記反射鏡に対するその位置が前記反射鏡の焦点を含む位置であり、
前記複数のコイル部は、前記コイル部をその長手方向から見たときの外形形状が略円形形状とは異なる形状となるように巻かれていることを特徴とする反射鏡付き管球。
【請求項５】
前記封入ガスは、前記クリプトンガスを主成分として、窒素ガスおよびハロゲン物質を含み、前記バルブ内のガス圧は、常温時において、２［ａｔｍ］〜１０［ａｔｍ］の範囲内にあることを特徴とする請求項４記載の反射鏡付き管球。
【請求項６】
前記封入ガスにおける前記窒素ガスの組成比率は８［％］〜４０［％］の範囲内にあることを特徴とする請求項５記載の反射鏡付き管球。
【請求項７】
内部に反射鏡を有する照明器具と、前記反射鏡部内に組み込まれた請求項１〜請求項３のいずれか１項に記載の管球とを備えていることを特徴とする照明装置。
【請求項８】
請求項４〜請求項６のいずれか１項に記載の反射鏡付き管球が照明器具に取り付けられていることを特徴とする照明装置。
【発明の詳細な説明】
【技術分野】
【０００１】
本発明は管球、反射鏡付き管球、および照明装置に関する。
【背景技術】
【０００２】
反射鏡付き管球、例えば反射鏡付きハロゲン電球は、凹面状の反射鏡内にハロゲン電球が組み込まれた構成を有し、例えばスタジオ照明用として、また商業施設におけるスポットライト等の一般照明用として使用されている。
【０００３】
ハロゲン電球は、内部にキセノンガス、窒素ガスおよびハロゲン物質が封入されているバルブとこのバルブ内に設けられた発光体とを備えている。この発光体がコンパクトであるほど発光体を点光源に近づけることができ、反射鏡との組み合わせにおいて集光効率を向上させることができる。しかし、一般的に定格電圧［Ｖ］および定格電力［Ｗ］、さらには定格寿命時間（例えば３０００時間）が決定されると、発光体を構成しているタングステン線の素線長や素線径がその定格電圧、定格電力および定格寿命時間に応じて実質的に定まってしまうので、例えば単純に素線長を短くして発光体をコンパクト化することは困難である。
【０００４】
なお、ここで言う「集光効率」とは、電力当たりの照度［ｌｘ／Ｗ］を示している。
【０００５】
また、「定格電圧」、「定格電力」、および「定格寿命時間」のそれぞれの関係については次のとおりである。すなわち、定格電圧と定格電力が決定すると、発光体の抵抗値Ｒが決定する。したがって、素線長を短くすると、抵抗値Ｒを維持するために素線径を細くする必要が生じる。ところが、素線径を細くすると点灯中、タングステンの蒸発によってタングステン線が細って断線しやすくなり、寿命時間は短くなる傾向にある。一方、寿命時間を確保するために素線径を太くした場合、抵抗値Ｒを維持するために素線長を長くする必要が生じる。ところが、素線長が長くなりすぎると、バルブの大きさ等に応じて発光体の寸法を一定の範囲内に収める必要があるので、ピッチを狭くしたり、バルブ内に設けられた状態における発光体にかかるテンションを小さくしなくてはならなくなり、発光体の機械的強度が弱くなって断線してしまうおそれがある。したがって、所定の定格電圧、定格電力、および定格寿命時間を満足するためには、実質的に素線長および素線径がほぼ一義的に決定される。
【０００６】
そこで、一般的に定格電圧１００［Ｖ］以上のハロゲン電球においては、コンパクト化を図るために発光体に二重巻きコイルが用いられていることが多い。そして、さらに一層のコンパクト化を図るために、この発光体に三重巻きコイルを用いることが提案されている（例えば特許文献１参照）。
【０００７】
なお、特にスタジオ照明用として使用されている反射鏡付きハロゲン電球として、集光効率を高めて中心照度を増大させるために、直線的に、かつ螺旋状に巻かれた複数のコイルからなる発光体を用い、これらのコイルを反射鏡の光軸に対してそれぞれ平行に、かつ前記光軸の周りにほぼ対称的に正三角形や正方形をなすように配置したものが知られている（例えば特許文献２参照）。
【特許文献１】特開２００１−３４５０７７号公報
【特許文献２】特表平６−５１０８８１号公報
【発明の開示】
【発明が解決しようとする課題】
【０００８】
しかしながら、コイルを二重巻き、三重巻きとその巻き数を多くしていくに従って、耐振動性が低くなっていく。そこで、特に三重巻きコイルをバルブ内に設けるに当たっては、耐振動性を向上させるために三重巻きコイルをその長手方向に引っ張った状態で、つまりテンションをかけた状態で内部リード線等に電気的に、かつ機械的に接続する必要がある。しかしながら、そうしたときには三重巻きコイルにおける三次コイルのピッチが大きくなり、三重巻きコイル全体としてその長手方向に長くなって十分なコンパクト性が得られなくなるという問題が起こる。
【０００９】
そこで、発光体のコンパクト化を図るに当たり、三重巻きコイルに代わる手段として、特許文献２に記載されているような直線的に、かつ螺旋状に巻かれた複数のコイルからなる発光体の実用性について検討した。
【００１０】
その結果、スタジオ照明用として使用されている反射鏡付きハロゲン電球では特に問題にならなかったものの、一般照明用として使用されるハロゲン電球に適用しようとすると予期せぬ問題があることがわかった。
【００１１】
すなわち、点灯時（電源をＯＮした時）、個々のコイル間でアーク放電が発生し、コイルが断線してしまう場合が起こった。この原因について検討したところ、一般照明用の反射鏡付きハロゲン電球では、その大きさがスタジオ照明用の反射鏡付きハロゲン電球に比して小さく、それに見合うだけコンパクト化し、かつ高い集光性が得られる発光体を実現しようとすると、個々のコイル間を非常に近接させなければならず、その結果、アーク放電が起きやすくなったと考えられる。
【００１２】
本発明は、このような問題を解決するためになされたもので、多重巻きコイルを用いることなく、発光体をコンパクト化することができ、集光効率を向上させることができるとともに、点灯時に個々のコイル部間でアーク放電が起きるのを抑制することができる管球、反射鏡付き管球および照明装置を提供することを目的とする。
【課題を解決するための手段】
【００１３】
本発明の請求項１記載の管球は、照明装置の反射鏡内に組み込まれる定格電圧１００［Ｖ］以上の管球であって、前記管球は内部にクリプトンガスからなる希ガスを含む封入ガスが封入されたバルブとこのバルブ内に設けられた発光体とを有しており、前記発光体は、並置された複数の一重巻きコイル部を有し、かつ前記管球が前記反射鏡内に組み込まれた状態において、前記反射鏡に対するその位置が前記反射鏡の焦点を含む位置であり、前記複数のコイル部は、前記コイル部をその長手方向から見たときの外形形状が略円形形状とは異なる形状となるように巻かれている構成を有している。
【００１４】
前記封入ガスは、前記クリプトンガスを主成分として、窒素ガスおよびハロゲン物質を含み、前記バルブ内のガス圧は、常温時において、２［ａｔｍ］〜１０［ａｔｍ］の範囲内にあることが好ましい。また、この場合において、前記封入ガスにおける前記窒素ガスの組成比率は８［％］〜４０［％］の範囲内にあることが好ましい。
【００１５】
本発明の請求項４記載の反射鏡付き管球は、凹面状の反射鏡と、この反射鏡内に配置され、かつ内部にクリプトンガスからなる希ガスを含む封入ガスが封入されたバルブとこのバルブ内に設けられた発光体とを有している定格電圧１００［Ｖ］以上の管球とを備え、前記発光体は、並置された複数の一重巻きコイル部を有し、かつ前記反射鏡に対するその位置が前記反射鏡の焦点を含む位置であり、前記複数のコイル部は、前記コイル部をその長手方向から見たときの外形形状が略円形形状とは異なる形状となるように巻かれている構成を有している。
【００１６】
前記封入ガスは、前記クリプトンガスを主成分として、窒素ガスおよびハロゲン物質を含み、前記バルブ内のガス圧は、常温時において、２［ａｔｍ］〜１０［ａｔｍ］の範囲内にあることが好ましい。また、この場合において、前記封入ガスにおける前記窒素ガスの組成比率は８［％］〜４０［％］の範囲内にあることが好ましい。
【００１７】
本発明の請求項７記載の照明装置は、内部に反射鏡部を有する照明器具と、前記反射鏡部内に組み込まれた前記請求項１記載の管球とを備えている。
【００１８】
本発明の請求項８記載の照明装置は、前記請求項２記載の反射鏡付き管球が照明器具に取り付けられている構成を有している。
【００１９】
なお、本発明において、前記封入ガス中における希ガスとは、クリプトンガス単体のみ、またはクリプトンガスおよび窒素ガスのみであって、例えばキセノンガス等は含まれていない。しかし、クリプトンガスのガス精製時に不可避的にキセノンガスが混入する場合がある。したがって、本発明において、不可避的にキセノンガス等の不純物が含まれていることがある。
【００２０】
また、本発明でいう発光体の「コイル部」とは、複数の独立した別個のコイル部材を示すことはもちろんのこと、一つの連続した金属部材の部分部分をコイル状にしてコイル部を形成したもの等も示すものである。つまり、発光体は複数の独立した別個のコイル部材をつなげたものや、一本の金属線を部分的に複数箇所、コイル部を形成したものなどからなる。
【発明の効果】
【００２１】
本発明は、多重巻きコイルを用いることなく、発光体をコンパクト化することができ、集光効率を向上させることができるとともに、点灯時に個々のコイル部間でアーク放電が起きるのを抑制することができる管球、反射鏡付き管球および照明装置を提供することができるものである。
【発明を実施するための最良の形態】
【００２２】
以下、本発明の最良な実施の形態について、それぞれ図面を用いて説明する。
【００２３】
図１に示すように、本発明の第１の実施の形態である照明装置１は、一例として主にスポットライト等の一般照明用として使用されているものであって、前面の開口部２から光が照射され、かつ内部に反射鏡３が収納されている円筒状の照明器具４と、反射鏡３内に組み込まれた定格電力６５Ｗ（定格電圧１１０Ｖ）のハロゲン電球５とを備えている。
【００２４】
ハロゲン電球５のバルブ６の長手方向の中心軸Ｘ1と反射鏡３の光軸Ｙ1とは、略同一軸上に位置している。
【００２５】
照明器具４の底部には、ハロゲン電球５の口金７（図２参照）が取り付けられる受け具（図示せず）が設けられている。
【００２６】
反射鏡３は、その前面に前面ガラス８が取り付けられ、かつ内面に回転楕円面または回転放物面等からなる回転体の反射面９が形成されている。この反射面９には、アルミニウムやクロム等の金属膜の他、二酸化ケイ素（ＳｉＯ2）、二酸化チタン（ＴｉＯ2）、フッ化マグネシウム（ＭｇＦ）、硫化亜鉛（ＺｎＳ）等からなる多層干渉膜が形成されている。また、この反射面には必要に応じてファセットを形成してもよい。
【００２７】
なお、この反射鏡３自体は、ハロゲン電球５の取り替えのために照明器具４から脱着可能である。もっとも、反射鏡３自体は照明器具４に固定されており、ハロゲン電球５の取り替えのために前面ガラス８が脱着可能なものもある。
【００２８】
また、照明器具４自体は円筒状に限らず、公知の種々の形状のものを使用することができる。
【００２９】
反射鏡３を含む照明器具４自体は公知のものであるので、その他の詳細については省略し、本発明の主たる特徴部分であるハロゲン電球５についてその詳細を説明する。したがって、照明器具としては、図１に示す照明器具４以外にも公知の種々のタイプの照明器具（スタジオ用を含む）を用いることができる。
【００３０】
ハロゲン電球５は、図２に示すように、石英ガラスや硬質ガラス等からなるバルブ６と、このバルブ６の後述する封止部１０側に接着剤１１によって固着された例えばＥ形の口金７とを備えている。
【００３１】
バルブ６には、封止切りの残痕であるチップオフ部１２、略回転楕円体形状の発光部１３、縮径部１４、略円筒状の筒部１５および公知のピンチシール法によって形成された封止部１０がそれぞれ順次連なるように形成されている。このバルブ６の外面のうち、チップオフ部１２、発光部１３および縮径部１４の外面には、可視光透過赤外線反射膜１６が形成されている。
【００３２】
なお、ここで言う「略回転楕円体形状」とは、完全な回転楕円体形状の場合はもちろんのこと、ガラスの加工上のばらつきによって完全な回転楕円体形状からずれてしまう場合も含むことを意味している。
【００３３】
なお、バルブ６の形状としてはチップオフ部１２、略回転楕円体形状の発光部１３、縮径部１４、筒部１５および封止部１０がそれぞれ順次連なって形成されたものに限らず、チップオフ部（場合によっては無い場合もある）、略回転楕円体形状の発光部、縮径部および封止部が順次連なって形成されたバルブや、チップオフ部（場合によっては無い場合もある）、略回転楕円体形状の発光部および封止部が順次連なって形成されたバルブ、またはチップオフ部（場合によっては無い場合もある）、略円筒形状の発光部および封止部が順次連なって形成されたバルブ等の公知の種々の形状のバルブを用いることができる。もちろん、発光部の形状として上記した略回転楕円体形状に代えて、略球形状のものや略複合楕円体形状のものも用いることができる。
【００３４】
バルブ６、特に発光部１３の外面には酸化コバルトを含む酸化膜（図示せず）が形成されていることが好ましい。これにより、高色温度を実現することができる。
【００３５】
発光部１３内には、発光体１７が設けられているとともに、ハロゲン物質とクリプトンガス単体の希ガスとからなる封入ガスが封入されている。ハロゲン物質は、ハロゲンサイクルによって、点灯中、発光体１７から蒸発したその構成物質であるタングステンを再び発光体１７に戻し、バルブ６の黒化を防止するためのものであって、その濃度は１０［ｐｐｍ］〜３００［ｐｐｍ］の範囲にあることが好ましい。また、ハロゲンサイクルを活性化させるためには、バルブ６内面における最冷点温度が２００［℃］以上であることが好ましい。さらに、ハロゲンサイクルを適切に機能させるためには、バルブ６内の酸素濃度を１００［ｐｐｍ］以下にすることが好ましい。
【００３６】
発光体１７の両端部には、例えばタングステン製の内部リード線１８の一端部がそれぞれ電気的に、かつ機械的に接続されている。内部リード線１８の他端部は、封止部１０に封止されているモリブデン製の金属箔１９を介して外部リード線２０の一端部に接続されている。外部リード線２０の他端部は、バルブ６の外部に導出しており、口金７の端子部分７ａ，７ｂにそれぞれ電気的に接続されている。少なくとも一方の外部リード線２０と口金７との間には、万一、後述のコイル部２１，２２，２３，２４が断線し、その断線箇所でアーク放電が発生し、その衝撃でバルブ６が破損等するのを防止するために、ヒューズを設けておくことが好ましい。後述するようにコイル部２１，２２，２３，２４を近接して配置する場合、コイル部２１，２２，２３，２４が断線しなくとも個々のコイル部２１，２２，２３，２４間でアーク放電が発生するおそれがあるので、両方の外部リード線２０と口金７との間にヒューズを設けることが好ましい。
【００３７】
また、発光体１７は、図３および図４に示すように、並置された複数の、例えば４つのコイル部２１，２２，２３，２４を有している。これら４つのコイル部２１，２２，２３，２４は、電気的に直列接続されている。また、この発光体１７は、反射鏡３に対するその位置が反射鏡３の焦点Ｆ1を含む位置にある。つまり、発光体１７を、４つのコイル部２１，２２，２３，２４を一体的に見立てた一つの柱体（図３および図４の破線で示す部分）としたとき、焦点Ｆ1がその柱体の内部または表面上に位置している。したがって、実際の発光体１７で見た場合、その焦点Ｆ1はコイル部２１，２２，２３，２４の内部もしくは表面上、または各コイル部（２１，２２）、（２１，２３）、（２１，２４）、（２２，２３）、（２２，２４）、（２３，２４）同士の間に位置している。図１に示す例では、発光体１７の中心点が反射鏡３の焦点Ｆ1上にほぼ位置している。もっとも、図４に示すように発光体の表面上の点Ｆ0が焦点Ｆ1上に位置していてもよい。
【００３８】
なお、図１では、コイル部２１，２２，２３，２４を一体化し、発光体１７を一つの柱体と捉えて模式的に示している。また、図３および図４では、コイル部２１，２２，２３，２４をそれぞれ外形形状のみをなぞらえて模式的に示している。
【００３９】
各コイル部２１，２２，２３，２４は、いずれもタングステン製であり、かつ略直線状に真っ直ぐ伸びた一重巻きコイル部であって、その長手方向から見たときの外形形状が略円形形状とは異なる形状、例えば曲線部が外側に向くように互いに対向する２つの半円部とそれらをつなぐ平行な２つの直線部とからなる略トラック形状を有している。
【００４０】
ただし、ここで言う「略円形形状」とは、真円を含むのはもちろんのこと、製造上のばらつきや加工の精度等によって真円からは多少その形状がくずれてしまう場合も含むことを意味している。つまり、「略円形形状とは異なる形状」とは、積極的に円形形状とは異なるようにしている形状を意味している。また、「略直線状に真っ直ぐ伸びた」とは、芯線に巻き付けた後のコイル部を積極的に曲げてはいないという意味であって、製造上の加工ばらつきや加工の精度等によって曲がってしまった場合も含むものとする。もっとも、ここで言う略直線状に真っ直ぐ伸びた一重巻きコイル部とは、単に略直線状に真っ直ぐに巻いた一重巻きコイル部を含むことはもちろんのこと、例えばその一重巻きコイル部を、そのコイル部の長手方向の中心軸を回転軸としてねじったもの等も含むものとする。
【００４１】
また、これらコイル部２１，２２，２３，２４において、その長手方向から見たときの外形形状が略円形形状とは異なる形状として、上記した略トラック形状以外に、略楕円形状、略扁平楕円形状、略多角形形状等であってもよく、特にその形状（略円形形状を除く）に限定されるものではない。これらの形状は、コイル部の作製プロセスにおいて、素線を巻き付ける芯線数、芯線の形状、それら芯線の配置等を適宜変更することによって実現することができる。
【００４２】
また、これらのコイル部２１，２２，２３，２４は、線径（素線径）が０．０１５［ｍｍ］〜０．１００［ｍｍ］、例えば０．０４０［ｍｍ］のタングステン線を、直径０．４［ｍｍ］の芯線を２本平行に隣接して並べたものにピッチ０．０５［ｍｍ］〜０．０７［ｍｍ］で巻き付けて作製されている。したがって、前記半円部の半径は０．２４［ｍｍ］、前記直線部の長さは０．４［ｍｍ］となる。また、各コイル部２１，２２，２３，２４は、そのコイル部長Ｌs（図３参照）が４［ｍｍ］、最大幅Ｗmax（図４参照）が０．８８［ｍｍ］、最小幅Ｗmin（図４参照）が０．４８［ｍｍ］である。
【００４３】
ここで、発光体１７を構成する複数のコイル部２１，２２，２３，２４を一つのコイル部（図３、図４中、破線で囲まれたもの）として見立て、反射鏡３との組み合わせにおいてその一つのコイル部が反射鏡３内における中心照度に大きく寄与する領域（以下、単に「中心照度寄与領域」という）内に収まるように、発光体１７の寸法や形状、すなわち各コイル部２１，２２，２３，２４の形状（略円形形状を除く）、寸法、配置（コイル部同士の間隔を含む）が適宜決定される。したがって、発光体１７が中心照度寄与領域内に収まれば、発光体１７の寸法や形状、すなわち各コイル部２１，２２，２３，２４の形状（略円形形状を除く）、寸法、配置は特に限定されるものではない。もっとも、上述したとおり、一般的に発光体１７を構成するタングステン線の素線長や素線径はハロゲン電球５の定格電圧、定格電力および定格寿命時間（例えば３０００時間）に応じてほぼ決定されるので、その素線長や素線径の範囲内で各コイル部２１，２２，２３，２４の形状（略円形形状を除く）や寸法が適宜決定される。一例として、定格電力６５［Ｗ］のハロゲン電球に用いられるもののタングステン線の素線長は例えば４２０［ｍｍ］〜４８０［ｍｍ］、素線径は例えば０．０５［ｍｍ］〜０．０６［ｍｍ］、定格電力２０［Ｗ］のハロゲン電球に用いられるもののタングステン線の素線長は例えば２５０［ｍｍ］〜３００［ｍｍ］、素線径は０．０２［ｍｍ］〜０．０３［ｍｍ］、定格電力１００［Ｗ］のハロゲン電球に用いられるもののタングステン線の素線長は例えば５４０［ｍｍ］〜６２０［ｍｍ］、素線径は０．０７［ｍｍ］〜０．０８［ｍｍ］である。
【００４４】
次に、各コイル部２１，２２，２３，２４の位置関係は、図３および図４に示すとおりである。
【００４５】
すなわち、図３に示すとおり各々のコイル部２１，２２，２３，２４の一端面は略同一平面上にある。また、コイル部２１，２２，２３，２４のコイル部長Ｌsが全て同じであるために、各々のコイル部２１，２２，２３，２４の他端面も略同一平面上にある。特に、コイル部２１，２２，２３，２４の端面のうち、封止部１０とは反対側の端面は、それぞれ略同一平面上に位置していることが好ましい。これにより、各コイル部２１，２２，２３，２４によって照射される照射面への照度を一様にし、均一な配光曲線を得ることができる。
【００４６】
また、図４に示すとおり各コイル部２１，２２，２３，２４をその長手方向から見た場合において、コイル部２１とコイル部２３とは、バルブ６の長手方向の中心軸Ｘ1を挟んで１．２［ｍｍ］の間隔をあけて対向し、かつ各コイル部２１，２３の長軸方向ｂ21（ｂ23）が略一致しつつ、その中心軸Ｘ1に対して垂直に交わるように配置されている。一方、コイル部２２とコイル部２４とは、バルブ６の長手方向の中心軸Ｘ1を挟んで０．４［ｍｍ］の間隔をあけて対向し、かつ各コイル部２２，２４の長軸方向ｂ22（ｂ24）が略一致しつつ、その中心軸Ｘ1に対して垂直に交わるように配置されている。そして、長軸方向ｂ21（ｂ23）と長軸方向ｂ22（ｂ24）とは垂直に交わっており、その交点は中心軸Ｘ1上にある。
【００４７】
ここで、隣合うコイル部同士（２１，２２）、（２１，２４）、（２２，２３）、（２２，２４）、（２３，２４）は、コンパクトな発光体１７を得るために可能な限り接近していることが好ましい。しかし、隣合うコイル部同士（２１，２２）、（２１，２４）、（２２，２３）、（２２，２４）、（２３，２４）が接近しすぎていると、点灯中、ハロゲン電球５に振動が加わった際、隣合うコイル部同士（２１，２２）、（２１，２４）、（２２，２３）、（２２，２４）、（２３，２４）がその振動によって接触して短絡するおそれがある。また、コイル部同士（２１，２２）、（２１，２４）、（２２，２３）、（２２，２４）、（２３，２４）が最も隣接している部分は、その他の部分よりもコイル部２１，２２，２３，２４の温度が高くなるために、タングステン線のタングステンの蒸発が激しく、短寿命になるおそれがある。そこで、点灯中、ハロゲン電球５に振動が加わった場合でも、隣合うコイル部同士（２１，２２）、（２１，２４）、（２２，２３）、（２２，２４）、（２３，２４）が接触して短絡するのを防止するとともに、短寿命化を防止するために、０．２［ｍｍ］以上にすることが好ましい。
【００４８】
次に、本発明の第１の実施の形態である照明装置１の作用効果を確認するための実験を行った。ただし、実験を簡素化するために、照明装置そのものではなく、ハロゲン電球５（以下、単に「本発明品Ａ」という）単体を公知の反射鏡付きハロゲン電球（松下電器産業株式会社製、品番：ＪＤＲ１１０Ｖ６５ＷＫＮ／５Ｅ１１）の反射鏡（前面ガラス含む）（狭角タイプ）、また別の公知の反射鏡付きハロゲン電球（松下電器産業株式会社製、品番：ＪＤＲ１１０Ｖ６５ＷＫＭ／５Ｅ１１）の反射鏡（前面ガラス含む）（中角タイプ）、さらに別の公知の反射鏡付きハロゲン電球（松下電器産業株式会社製、品番：ＪＤＲ１１０Ｖ６５ＷＫＷ／５Ｅ１１）の反射鏡（前面ガラス含む）（広角タイプ）にそれぞれ組み込んだものを用いて実験を行った。
【００４９】
そして、各々のミラー角の反射鏡付きハロゲン電球を５本ずつ作製し、作製した各々の反射鏡付きハロゲン電球を定格電力、定格電圧で点灯させ、反射鏡付きハロゲン電球から距離１［ｍ］離れた照射面における中心照度［ｌｘ］を測定した。もちろん、本実験における中心照度の値は、照明装置としての値ではないものの、照明装置としての値と同等である。
【００５０】
また、比較のため、発光体として三重巻きコイルを用いている点を除いて本発明の第１の実施の形態である照明装置１に用いられている定格電力６５［Ｗ］（定格電圧１１０［Ｖ］）のハロゲン電球５と同じ構成を有している定格電力６５［Ｗ］（定格電圧１１０［Ｖ］）のハロゲン電球（以下、「比較品Ａ」という）を１５本作製し、これら作製した比較品Ａを５本ずつ、本発明品Ａと同じ公知の反射鏡（前面ガラス含む）にそれぞれ組み込み、中心照度［ｌｘ］を測定した。
【００５１】
なお、用いた三重巻きコイルは、素線であるタングステン線の素線長が４６０［ｍｍ］、素線径が０．０５２［ｍｍ］であり、一次コイルのマンドレル径が０．１２［ｍｍ］、一次コイルのピッチが０．１４［ｍｍ］、二次コイルのマンドレル径が０．２８［ｍｍ］、二次コイルのピッチが０．５５［ｍｍ］、三次コイルのマンドレル径が１．２［ｍｍ］、三次コイルのピッチが１．５［ｍｍ］である。
【００５２】
また、後述する中心照度［ｌｘ］の値は、５本のサンプルの平均値を示す。
【００５３】
また、ここでは「集光効率」を電力当たりの照度［ｌｘ／Ｗ］と定義しているので、本発明品Ａの中心照度と比較品Ａの中心照度との対比が実質的に本発明品Ａの集光効率と比較品Ａの集光効率との対比となる。
【００５４】
さらに、本発明品Ａおよび比較品Ａにおいて、封入ガスはクリプトンガスおよびハロゲン物質のみからなる。
【００５５】
そして、比較のため、封入ガスがキセノンガスおよびハロゲン物質のみからなる点を除いて本発明品Ａと同じ構成を有するハロゲン電球（以下、「比較品Ｂ」という）を５本作製した。
【００５６】
実験の結果、本発明品Ａでは中心照度が狭角タイプで９３９０［ｌｘ］、中角タイプで５０９２［ｌｘ］、広角タイプで２０７２［ｌｘ］であったのに対して、比較品Ａでは中心照度が狭角タイプで５５８７［ｌｘ］、中角タイプで３００５［ｌｘ］、広角タイプで１４２１［ｌｘ］であった。
【００５７】
このように本発明品Ａでは、その中心照度が比較品Ａに比して狭角タイプで１．６８倍、中角タイプで１．６９倍、広角タイプで１．４５倍向上していることがわかる。
【００５８】
なお、本発明品Ａのビーム角は、それぞれのビーム角のタイプにおいて比較品Ａとほぼ同じであった。
【００５９】
ここで、本比較においては、本発明品Ａと比較品Ａのハロゲン電球を同一の電力（６５Ｗ）で点灯させたので、上記照度の向上率は、集光効率[ｌｘ／Ｗ]の向上率と一致する。すなわち、本発明品Ａが比較品Ａに対して集光効率の向上を実現したことが確認された。
【００６０】
また、本発明品Ａでは、点灯時（電源をＯＮした時）に個々のコイル部２１，２２，２３，２４間でアーク放電し、それらが断線したものは無かった。一方、比較品Ｂでは、同じ条件で点灯させているにもかかわらず、５本中３本がその点灯時（電源をＯＮした時）に個々のコイル部２１，２２，２３，２４間でアーク放電し、その一部が断線した。
【００６１】
以上のとおり本発明の第１の実施の形態にかかる照明装置１の構成によれば、第一に一重巻きコイル部を用いているので、多重巻きコイルとは異なり耐振動性を高くすることができ、ピッチを多重巻きコイルのピッチに比して十分に小さくすることができるとともに、第二に一重巻きコイル部を分割して複数化し、しかもコイル部２１，２２，２３，２４を長手方向から見た外形形状が略円形形状とは異なる形状となるようにしているので、発光体１７として光軸Ｙ1方向に対して十分に短縮化することができる。その結果、反射鏡３内における中心照度寄与領域内に存在する発光体１７の割合を増加させることができ、集光効率を向上させることができる。また、封入ガスとしてクリプトンガスを封入しているので、集光効率を高めるために個々のコイル部２１，２２，２３，２４を近接配置し、発光体１７をコンパクト化しているにもかかわらず、点灯時に個々のコイル部２１，２２，２３，２４間でアーク放電が発生し、それらが断線するのを抑制することができる。
【００６２】
特に、封入ガスは、クリプトンガスを主成分として、窒素ガスおよびハロゲン物質を含み、バルブ６内のガス圧は、常温時において、２［ａｔｍ］〜１０［ａｔｍ］の範囲内にあることが好ましい。この場合において、ガス圧が適正に抑えられているため、万一バルブ６が破損したとしても、その破片の勢いが照明器具に破損をおよぼすほど大きくならず、その一方でガス圧が適切に高いために、コイル部２１，２２，２３，２４の構成材料であるタングステンが蒸発しにくく、長寿命化を実現することができ、さらには点灯時に個々のコイル部２１，２２，２３，２４間でアーク放電が発生し、それらが断線するのを一層抑制することができる。バルブ６内のガス圧が２［ａｔｍ］未満の場合、コイル部２１，２２，２３，２４の構成材料であるタングステンが蒸発を抑えにくく、短寿命になるおそれがある。逆に、ガス圧が１０［ａｔｍ］を超える場合、万一バルブ６が破損したとき、その破片の勢いで照明器具を破損させるおそれがある。
【００６３】
また、封入ガスに窒素ガスを含む場合、その窒素ガスの組成比率は８［％］〜４０［％］の範囲内にあることが好ましい。窒素ガスが適切に含まれているために、点灯時に個々のコイル部２１，２２，２３，２４間でアーク放電が発生し、それらが断線するのをより一層抑制することができ、その一方で窒素ガスの組成比率が適切に抑えられているために、点灯中、発光体１７の熱が窒素ガスを介して過度に放熱され、効率が低下するのを防止することができる。窒素ガスの組成比率が８［％］未満の場合、点灯時に個々のコイル部２１，２２，２３，２４間でアーク放電が発生し、それらが断線するのをより一層抑制する効果を十分に発揮できない。逆に、窒素ガスの組成比率が４０［％］を超えると、点灯中、発光体１７の熱が窒素ガスを介して過度に放熱され、効率が低下するおそれがある。
【００６４】
なお、上記した第１の実施の形態では、図１に示すとおりの照明器具４（反射鏡３を含む）を用いた場合について説明したが、この照明器具４に代えて公知の種々の照明器具（反射鏡を含む）を用いた場合であっても、上記と同様の作用効果を得ることができる。
【００６５】
ここで、各コイル部２１，２２，２３，２４の寸法等を種々変え、発光体１７の寸法等を変えた変形例を示す。下記のような変形例のコイル部を用いた場合であっても、上記と同様の作用効果を得ることができる。
【００６６】
（１）変形例１：変形例１の発光体２５は、図５に示したように図３および図４に示した例（以下、単に「実施例１」という）とは各コイル部２１，２２，２３，２４の配置のみが異なる。すなわち、図５に示すとおり各コイル部２１，２２，２３，２４の長手方向の中心軸ａ21，ａ22，ａ23，ａ24がバルブ６の長手方向の中心軸Ｘ1と平行であって、各コイル部２１，２２，２３，２４を長手方向から見た場合において、コイル部２１はその長手方向の中心軸ａ21が中心軸Ｘ1上に位置している。コイル部２２は、その長軸方向ｂ22がコイル部２１の長軸方向ｂ21と平行であって、かつその長手方向の中心軸ａ22とコイル部２１の長手方向の中心軸ａ21との間の距離ｒ0が０．８８［ｍｍ］となる位置に配置されている。
【００６７】
コイル部２３は、その長軸方向ｂ23とコイル部２１の長軸方向ｂ21とが３０°に交わるように、かつその長手方向の中心軸ａ23とコイル部２１の長手方向の中心軸ａ21との間の距離ｒ0が０．８８［ｍｍ］となる位置に配置されている。コイル部２４は、その長軸方向ｂ24とコイル部２１の長軸方向ｂ21とが３０°に交わるように、かつその長手方向の中心軸ａ24とコイル部２１の長手方向の中心軸ａ21との間の距離ｒ0が０．８８［ｍｍ］となる位置に配置されている。コイル部２３の中心軸ａ23とコイル部２４の中心軸ａ24との間の距離ｒ1は０．８８［ｍｍ］である。
【００６８】
（２）変形例２：変形例２の発光体２６は、図６に示すとおり実施例１におけるコイル部２１，２２，２３の３つのコイル部を用いている。その配置は、次のとおりである。すなわち、図６に示すとおり各コイル部２１，２２，２３の長手方向の中心軸ａ21，ａ22，ａ23がバルブ６の長手方向の中心軸Ｘ1と平行であって、各コイル部２１，２２，２３を長手方向から見た場合において、コイル部２１はその長手方向の中心軸ａ21が中心軸Ｘ1上に位置している。コイル部２２は、その短軸方向ｃ22がコイル部２１の短軸方向ｃ21と略同一軸上であって、かつその長手方向の中心軸ａ22とコイル部２１の長手方向の中心軸ａ21との間の距離ｒ0が０．８８［ｍｍ］となる位置に配置されている。コイル部２３は、その短軸方向ｃ23がコイル部２１の短軸方向ｃ21と略同一軸上であって、かつその長手方向の中心軸ａ23とコイル部２１の長手方向の中心軸ａ21との間の距離ｒ0が０．８８［ｍｍ］となる位置に配置されている。
【００６９】
なお、短軸方向ｃ21，ｃ22，ｃ23とは、長手方向の中心軸ａ21，ａ22，ａ23を通り、かつ長軸方向ｂ21，ｂ22，ｂ23と垂直に交わる方向である。
【００７０】
（３）変形例３，４：変形例３は、図示はしていないが、変形例２において芯線の径０．４［ｍｍ］を１００［％］とし、径を例えば１１０［％］〜２００［％］の範囲内で増やした芯線を用いて作製したコイル部である。また、変形例４は、図示はしていないが、変形例２において同じ径の芯線を複数、例えば３つから７つを長軸方向ｂ21，ｂ22，ｂ23に並置して作成したコイル部である。
【００７１】
次に、図７に示すように、本発明の第２の実施の形態である照明装置２７は、ミラー径φが３５ｍｍ〜１００ｍｍ、例えば最外径５０ｍｍの凹面状の反射鏡２８と、この反射鏡２８の内部に配置された定格電力６５Ｗ（定格電圧１１０Ｖ）の反射鏡付きハロゲン電球２９と、反射鏡２８の端部に取り付けられた例えばＥ形の口金３０とを備えている。
【００７２】
ハロゲン電球２９のバルブ３１の長手方向の中心軸Ｘ2は、反射鏡２８の光軸Ｙ2と略一致している。
【００７３】
反射鏡２８は、硬質ガラスまたは石英ガラス等からなり、一端部に光を照射する開口部３２を、他端部に筒状のネック部３３をそれぞれ有し、内面に回転楕円面または回転放物面等からなる回転体の反射面３４が形成されている。開口部３２には、前面ガラス３５が設けられ、かつ公知の止め金具（図示せず）によって固定されている。前面ガラス３５の固定方法としては、止め金具に代えて公知の接着剤（図示せず）を用いたり、止め金具と接着剤とを併用したりすることもできる。もっとも、前面ガラス３５は必ずしも設ける必要はない。
【００７４】
ネック部３３の外側には、口金３０がこのネック部３３のほぼ全体を覆うように設けられ、接着剤３６を介して固着されている。一方、ネック部３３内には、ハロゲン電球２９の封止部３７が挿入され、同じく接着剤３６を介して固着されている。
【００７５】
反射面３４には、アルミニウムやクロム等の金属膜の他、二酸化ケイ素（ＳｉＯ2）、二酸化チタン（ＴｉＯ2）、フッ化マグネシウム（ＭｇＦ）、硫化亜鉛（ＺｎＳ）等からなる多層干渉膜が形成されている。反射面３４には必要に応じてファセットを形成してもよい。
【００７６】
ハロゲン電球２９は、石英ガラスや硬質ガラス等からなるバルブ３１と、上記した本発明の第１の実施の形態である照明装置１におけるハロゲン電球５で用いられている発光体１７とを備えている。つまり、ハロゲン電球２９は、バルブ３１の形状が異なる点を除いてハロゲン電球５と同じ構成を有している。したがって、ハロゲン電球２９の構成の詳細については、主にハロゲン電球５の構成と異なる点について説明する。
【００７７】
発光体１７の両端部には、例えばタングステン製の内部リード線１８の一端部がそれぞれ電気的に、かつ機械的に接続されている。内部リード線１８の他端部は、封止部３７に封止されているモリブデン製の金属箔１９を介して外部リード線２０の一端部に接続されている。外部リード線２０の他端部は、バルブ３１の外部に導出しており、口金３０の端子部分３０ａ，３０ｂにそれぞれ電気的に接続されている。少なくとも一方の外部リード線２０と口金３０との間には、万一、コイル部２１，２２，２３，２４が断線し、その断線箇所でアーク放電が発生し、その衝撃でバルブ３１が破損等するのを防止するために、ヒューズを設けておくことが好ましい。コイル部２１，２２，２３，２４を近接して配置する場合、コイル部２１，２２，２３，２４が断線しなくとも個々のコイル部２１，２２，２３，２４間でアーク放電が発生するおそれがあるので、両方の外部リード線２０と口金３０との間にヒューズを設けることが好ましい。
【００７８】
バルブ３１には、封止切りの残痕であるチップオフ部３８、一端部（チップオフ部３８側の端部）がテーパ状になった略円筒形状の発光部３９、および公知のピンチシール法によって形成された封止部３７がそれぞれ順次連なるように形成されている。このバルブ３１の外面には可視光透過赤外線反射膜が形成されていないが、必要に応じて発光部３９等の外面に可視光透過赤外線反射膜を形成してもよい。
【００７９】
なお、バルブ３１の形状としてはチップオフ部３８、一端部がテーパ状になった略円筒形状の発光部３９、および封止部３７がそれぞれ順次連なって形成されたものに限らず、チップオフ部（場合によっては無い場合もある）、テーパ部分のない略円筒形状の発光部および封止部が順次連なって形成されたバルブ、チップオフ部（場合によっては無い場合もある）、略回転楕円体形状の発光部、縮径部、筒部および封止部がそれぞれ順次連なって形成されたバルブ、チップオフ部（場合によっては無い場合もある）、略回転楕円体形状の発光部、縮径部および封止部が順次連なって形成されたバルブ、またはチップオフ部（場合によっては無い場合もある）、略回転楕円体形状の発光部および封止部が順次連なって形成されたバルブ等の公知の種々の形状のバルブを用いることができる。もちろん、発光部の形状として略回転楕円体形状に代えて、略球形状のものや略複合楕円体形状のものも用いることができる。
【００８０】
なお、バルブ３１、特に発光部３９の外面には酸化コバルトを含む酸化膜（図示せず）が形成されていることが好ましい。これにより、高色温度を実現することができる。
【００８１】
発光体１７は、図３および図４に示すように、並置された複数の、例えば４つのコイル部２１，２２，２３，２４を有している。これら４つのコイル部２１，２２，２３，２４は、電気的に直列接続されている。また、この発光体１７は、反射鏡２８に対するその位置が反射鏡２８の焦点Ｆ2を含む位置にある。つまり、発光体１７を、４つのコイル部２１，２２，２３，２４を一体的に見立てて一つの柱体（図３および図４の破線で示す部分）としたとき、焦点Ｆ2がその柱体の内部または表面上に位置している。したがって、実際の発光体１７で見た場合、その焦点Ｆ2はコイル部２１，２２，２３，２４の内部もしくは表面上、または各コイル部（２１，２２）、（２１，２３）、（２１，２４）、（２２，２３）、（２２，２４）、（２３，２４）同士の間に位置している。図７に示す例では、発光体１７の中心点が反射鏡２８の焦点Ｆ2上にほぼ位置している。もっとも、図４に示すように発光体の表面上の点Ｆ0が焦点Ｆ2上に位置していてもよい。
【００８２】
なお、図７では、コイル部２１，２２，２３，２４を一体化し、発光体１７を一つの柱体と捉えて模式的に示している。
【００８３】
次に、各コイル部２１，２２，２３，２４の位置関係は、図３および図４に示すとおりである。
【００８４】
すなわち、図３に示すとおり各々のコイル部２１，２２，２３，２４の一端面は略同一平面上にある。また、コイル部２１，２２，２３，２４のコイル部長Ｌsが全て同じであるために、各々のコイル部２１，２２，２３，２４の他端面も略同一平面上にある。特に、コイル部２１，２２，２３，２４の端面のうち、封止部３７とは反対側の端面は、それぞれ略同一平面上に位置していることが好ましい。これにより、各コイル部２１，２２，２３，２４によって照射される照射面への照度を一様にし、均一な配光曲線を得ることができる。
【００８５】
また、図４に示すとおり各コイル部２１，２２，２３，２４をその長手方向から見た場合において、コイル部２１とコイル部２３とは、バルブ３１の長手方向の中心軸Ｘ2を挟んで１．２［ｍｍ］の間隔をあけて対向し、かつ各コイル部２１，２３の長軸方向ｂ21（ｂ23）が略一致しつつ、その中心軸Ｘ2に対して垂直に交わるように配置されている。一方、コイル部２２とコイル部２４とは、バルブ３１の長手方向の中心軸Ｘ2を挟んで０．４［ｍｍ］の間隔をあけて対向し、かつ各コイル部２２，２４の長軸方向ｂ22（ｂ24）が略一致しつつ、その中心軸Ｘ2に対して垂直に交わるように配置されている。そして、長軸方向ｂ21（ｂ23）と長軸方向ｂ22（ｂ24）とは垂直に交わっており、その交点は中心軸Ｘ2上にある。
【００８６】
ここで、隣合うコイル部同士（２１，２２）、（２１，２４）、（２２，２３）、（２２，２４）、（２３，２４）は、コンパクトな発光体１７を得るために可能な限り接近していることが好ましい。しかし、隣合うコイル部同士（２１，２２）、（２１，２４）、（２２，２３）、（２２，２４）、（２３，２４）が接近しすぎていると、点灯中、ハロゲン電球２９に振動が加わった際、隣合うコイル部同士（２１，２２）、（２１，２４）、（２２，２３）、（２２，２４）、（２３，２４）がその振動によって接触して短絡するおそれがある。また、コイル部同士（２１，２２）、（２１，２４）、（２２，２３）、（２２，２４）、（２３，２４）が最も隣接している部分は、その他の部分よりもコイル部２１，２２，２３，２４の温度が高くなるために、タングステン線のタングステンの蒸発が激しく、短寿命になるおそれがある。そこで、点灯中、ハロゲン電球２９に振動が加わった場合でも、隣合うコイル部同士（２１，２２）、（２１，２４）、（２２，２３）、（２２，２４）、（２３，２４）が接触して短絡するのを防止するとともに、短寿命化を防止するために、０．２［ｍｍ］以上にすることが好ましい。
【００８７】
以上のとおり本発明の第２の実施の形態にかかる反射鏡付きハロゲン電球２９の構成によれば、第一に一重巻きコイル部を用いているので、多重巻きコイルとは異なり耐振動性を高くすることができ、ピッチを多重巻きコイルのピッチに比して十分に小さくすることができるとともに、第二に一重巻きコイル部を分割して複数化し、しかもコイル部２１，２２，２３，２４（図３、図４参照）を長手方向から見た外形形状が略円形形状とは異なる形状となるようにしているので、発光体１７として光軸Ｙ1方向に対して十分に短縮化することができる。その結果、反射鏡２８内における中心照度に寄与する領域に存在する発光体１７の割合を増加させることができ、集光効率を向上させることができる。また、封入ガスとしてクリプトンガスを封入しているので、集光効率を高めるために個々のコイル部２１，２２，２３，２４を近接配置し、発光体１７をコンパクト化しているにもかかわらず、点灯時に個々のコイル部２１，２２，２３，２４間でアーク放電が発生し、それらが断線するのを抑制することができる。
【００８８】
また、このように中心照度を向上させることができるために、従来の反射鏡付きハロゲン電球のように可視光透過赤外線反射膜を形成して中心照度を向上させる必要がなくなり、つまり従来の二重巻きコイルを用いた反射鏡付きハロゲン電球であって、バルブの外面に可視光透過赤外線反射膜が形成されているものの中心照度とほぼ同じ中心照度を得ることができる。その結果、可視光透過赤外線反射膜自体のコストやそのプロセスにかかるコストを削減することができ、また膜形成のためのプロセスを省くことができるので、生産効率を大幅に向上させることができる。
【００８９】
本発明の第２の実施の形態にかかる反射鏡付きハロゲン電球２９の構成においても、特に封入ガスは、クリプトンガスを主成分として、窒素ガスおよびハロゲン物質を含み、バルブ３１内のガス圧は、常温時において、２［ａｔｍ］〜１０［ａｔｍ］の範囲内にあることが好ましい。この場合において、ガス圧が適正に抑えられているため、万一バルブ３１が破損したとしても、その破片の勢いが照明器具に破損をおよぼすほど大きくならず、その一方でガス圧が適切に高いために、コイル部２１，２２，２３，２４の構成材料であるタングステンが蒸発しにくく、長寿命化を実現することができ、さらには点灯時に個々のコイル部２１，２２，２３，２４間でアーク放電が発生し、それらが断線するのを一層抑制することができる。
【００９０】
また、封入ガスに窒素ガスを含む場合、その窒素ガスの組成比率は８［％］〜４０［％］の範囲内にあることが好ましい。窒素ガスが適切に含まれているために、点灯時に個々のコイル部２１，２２，２３，２４間でアーク放電が発生し、それらが断線するのをより一層抑制することができ、その一方で窒素ガスの組成比率が適切に抑えられているために、点灯中、発光体１７の熱が窒素ガスを介して過度に放熱され、効率が低下するのを防止することができる。
【００９１】
なお、上記した本発明の第２の実施の形態にかかる反射鏡付きハロゲン電球２９においても、図３および図４に示す発光体１７に代えて、上述した変形例１〜変形例４のいずれを用いた場合であっても上記と同様の作用効果を得ることができる。
【００９２】
次に、本発明の第３の実施の形態である照明装置は、本発明の第２の実施の形態にかかる反射鏡付きハロゲン電球２９が図１に示す本発明の第１の実施の形態である照明装置１の照明器具４（反射鏡３を除く）に取り付けられている点を除いて本発明の第１の実施の形態である照明装置１と同じ構成を有している。
【００９３】
以上のとおり本発明の第３の実施の形態にかかる照明装置の構成によれば、第一に一重巻きコイル部を用いているので、多重巻きコイル部とは異なり耐振動性を高くすることができ、ピッチを多重巻きコイル部のピッチに比して十分に小さくすることができるとともに、第二に一重巻きコイル部を分割して複数化し、しかもコイル部２１，２２，２３，２４（図３、図４参照）を長手方向から見た外形形状が略円形形状とは異なる形状となるようにしているので、発光体１７（図１等参照）として光軸Ｙ1方向に対して十分に短縮化することができる。その結果、反射鏡２８（図７参照）内における中心照度に寄与する領域に存在する発光体１７の割合を増加させることができ、集光効率を向上させることができる。また、封入ガスとしてクリプトンガスを封入しているので、集光効率を高めるために個々のコイル部２１，２２，２３，２４を近接配置し、発光体１７をコンパクト化しているにもかかわらず、点灯時に個々のコイル部２１，２２，２３，２４間でアーク放電が発生し、それらが断線するのを抑制することができる。
【００９４】
本発明の第３の実施の形態にかかる照明装置の構成においても、特に封入ガスは、クリプトンガスを主成分として、窒素ガスおよびハロゲン物質を含み、バルブ６内のガス圧は、常温時において、２［ａｔｍ］〜１０［ａｔｍ］の範囲内にあることが好ましい。この場合において、ガス圧が適正に抑えられているため、万一バルブ６が破損したとしても、その破片の勢いが照明器具に破損をおよぼすほど大きくならず、その一方でガス圧が適切に高いために、コイル部２１，２２，２３，２４の構成材料であるタングステンが蒸発しにくく、長寿命化を実現することができ、さらには点灯時に個々のコイル部２１，２２，２３，２４間でアーク放電が発生し、それらが断線するのを一層抑制することができる。
【００９５】
また、封入ガスに窒素ガスを含む場合、その窒素ガスの組成比率は８［％］〜４０［％］の範囲内にあることが好ましい。窒素ガスが適切に含まれているために、点灯時に個々のコイル部２１，２２，２３，２４間でアーク放電が発生し、それらが断線するのをより一層抑制することができ、その一方で窒素ガスの組成比率が適切に抑えられているために、点灯中、発光体１７の熱が窒素ガスを介して過度に放熱され、効率が低下するのを防止することができる。
【００９６】
なお、上記した本発明の第３の実施の形態にかかる照明装置においても、図３および図４に示す発光体１７に代えて、上述した変形例１〜変形例４のいずれを用いた場合であっても上記と同様の作用効果を得ることができる。
【産業上の利用可能性】
【００９７】
本発明は、多重巻きコイルを用いることなく、発光体をコンパクト化することができ、集光効率を向上させ、かつ個々のコイル部間でアーク放電が起きるのを抑制することが必要な用途にも適用することができる。
【図面の簡単な説明】
【００９８】
【図１】本発明の第１の実施の形態である照明装置の一部切欠正面図
【図２】同じく照明装置に用いられているハロゲン電球の一部切欠正面図
【図３】同じく照明装置におけるハロゲン電球に用いられている発光体を模式的に示した正面図
【図４】同じく照明装置におけるハロゲン電球に用いられている発光体を模式的に示した平面図
【図５】同じく照明装置におけるハロゲン電球に用いられる発光体の変形例を模式的に示した平面図
【図６】同じく照明装置におけるハロゲン電球に用いられる発光体の別の変形例を模式的に示した平面図
【図７】本発明の第２の実施の形態である照明装置の一部切欠正面図
【符号の説明】
【００９９】
１，２７  照明装置
２，３２  開口部
３，２８  反射鏡
４  照明器具
５，２９  ハロゲン電球
６，３１  バルブ
７，３０  口金
７ａ，７ｂ，３０ａ，３０ｂ  端子部分
８，３５  前面ガラス
９，３４  反射面
１０，３７  封止部
１１，３６  接着剤
１２，３８  チップオフ部
１３，３９  発光部
１４  縮径部
１５  筒部
１６  可視光透過赤外線反射膜
１７，２５，２６  発光体
１８  内部リード線
１９  金属箔
２０  外部リード線
２１，２２，２３，２４  コイル部
３３  ネック部
【図１】
2008059893.tif 000003
【図２】
2008059893.tif 000004
【図３】
2008059893.tif 000005
【図４】
2008059893.tif 000006
【図５】
2008059893.tif 000007
【図６】
2008059893.tif 000008
【図７】
2008059893.tif 000009